(57)【要約】【課題】フルートを三点で支持して練習等の演奏をする際にフルートの胴部管が身体側に回転して不安定な支持状態となるのを防止して、安定なフルートの支持方法を提供する。【解決手段】フルート支持器具１０は、互いに一体的に形成されたゴムのリング部１と、ゴムの台座部２を有する。リング部１は、フルート奏者の左手の人差し指に嵌め込まれて人差し指の掌側の根元まで挿入可能な内径を有する開口部１Ｒを、有する。台座部２は、リング部１を人差し指に装着した際に掌側となる当該リング部１の正面部分から人差し指の指先側に向けて盛り上がりつつ、掌の外側に向けて庇状に突出・拡大している。台座部２の上側表面２ＵＳは、フルートの胴体部の一部を載置可能な表面積を有する。【選択図】図１
2014095804.tif 000002
【特許請求の範囲】
【請求項１】
左手の人差し指に嵌め込まれて前記人差し指の掌側の根元まで挿入可能な内径を有する貫通状の開口部を備えた、弾性体の人差し指挿入部と、
前記人差し指挿入部と一体化されており、前記人差し指挿入部を前記人差し指に装着した際に掌側となる前記人差し指挿入部の所定部分から前記人差し指の指先側に向けて盛り上がりつつ外側に向けて庇状に突出及び拡大している弾性体の台座部と
を備えたことを特徴とする、フルート支持器具。
【請求項２】
請求項１に記載のフルート支持器具であって、
前記台座部は、フルートの胴部管の外径よりも小さな曲率半径を有する曲面を成す上側表面を備える
ことを特徴とする、フルート支持器具。
【請求項３】
請求項１又は２に記載のフルート支持器具であって、
前記台座部の前記人差し指の指先側に向けて盛り上がった部分は、凹凸状に波打った形状の端部を備える
ことを特徴とする、フルート支持器具。
【請求項４】
請求項１乃至３の何れか１項に記載の前記フルート支持器具の前記人差し指挿入部を左手の人差し指に装着し、
前記フルート支持器具の前記台座部にフルートの胴部管の所定部分を搭載した上で、
前記フルートを三点支持で支持しつつ前記フルートを使用する
ことを特徴とする、フルートの支持方法。
【発明の詳細な説明】
【技術分野】
【０００１】
この発明は、フルートの演奏時に於いて安定してフルートを支持可能なフルート支持器具に関する。
【背景技術】
【０００２】
フルート（主としてコンサートフルート）は、周知の通り、大要、頭部管、胴部管及び足部管の３つの管体部分から成る。１９世紀後半にドイツのベームにより発明されたベーム型フルートの発展型である現代のフルートに於いては、前記３つの管体部分は主として金属からなり、且つ、胴部管及び足部管に形成された各穴を指で塞いだり開いたりするためのキィ及びキィ間を繋ぐ配線部分等も、金属より成る。
【０００３】
この様な現代型のフルートに於いて、その頭部管を左側にして当該フルートを床に載置した場合には、上記のキィ及び配線部分等が頭部管のマウスピースの穴（マウスホール）の中心軸よりも内側寄りに偏在しているために、当該内側に回転する力がフルート本体に作用して、フルートの静止状態は、内側に傾いた状態となる。
【０００４】
そのため、唇の真下部分、左手の人差し指の第２関節と第３関節との間部分、及び右手の親指の指先部分の三点でフルートを支持してフルートを吹く場合には（三点支持）、常に当該フルート本体が内側に回転して傾こうとする力が働くために、演奏者は、斯かる内側に回転しようとする力に対抗して、安定した三点支持を確実に行う技能を身に着ける必要性がある。特に、フルートのキィの構造上、中音域及び高音域の「ド」及び「ド」のシャープの音を鳴らす場合には、共に左手の親指をフルートから離さなければならず、且つ、後者に於いては右手の小指一本の指での支持となるため、何れの音の発生に際しても、フルートの三点支持が一般的に難しく、フルートが不安定となって、一層にフルート本体が内側に傾き易くなる。又、低音域の「ド」のシャープ及び「ド」の音を鳴らす場合には、演奏者は、右手の小指の上下運動を行う必要性があり、初心者等は、その様な小指の動作に気が取られて、フルートの三点支持が疎かになり易い。
【０００５】
そのため、演奏者にとっては、演奏中に、フルートが内側ないしは身体側に回転しない様に、確実にフルートを正しい位置に於いて安定的に支持する必要性がある。この動作は、初心者等にとっては、「言うは易しいが、行うは難しい。」である。このために、フルートの練習を始めた者が、安定した三点支持が出来ていないがために、フルート演奏のレッスンを挫折してしまう傾向が高いと、言われる。
【先行技術文献】
【特許文献】
【０００６】
【特許文献１】米国特許第４２７０４３３号明細書
【非特許文献】
【０００７】
【非特許文献１】インターネット上のＨＰ（ｈｔｔｐ：／／ｍｉｓｔｉｃｍｅｄｉａ．ｃｏｍ／ｍｉｓｔｉｃｍｅｄｉａ−ｊｐ／）
【発明の概要】
【発明が解決しようとする課題】
【０００８】
非特許文献１に提示されている先行発明は、柔軟に折り曲げ可能な針金をゴムで被覆し且つ、その両端にゴム製の丸い外形の接触部分を備えたフルート支持器具を、提案している。フルートの演奏者は、当該フルート支持器具のゴムで被覆された針金の芯を自在に折り曲げつつ左手の人差し指に巻き付けた上で、フルートの胴部管を上記の丸い外形の接触部分に当接させてフルートを支持する。その際の針金の芯の巻き付け状態は、フルートの演奏の開始毎に変わる。
【０００９】
しかし、その様なタイプのフルート支持器具を長時間に亘って使用して演奏する場合には、左手の人差し指が、巻き付けられている針金の芯からの圧迫を常時に受けているため、演奏者は、次第に違和感を覚えると共に、左手の人差し指に痛みを感じる様になる。
【００１０】
本発明は、この様な現状認識を踏まえて成されたものであり、フルートの練習等の演奏毎に形状が変わる事無く且つ左手の人差し指に痛みを全く感じさせることなく、常時、安定してフルートを支持することを可能とするフルート支持器具を提案することを、その主目的としている。
【課題を解決するための手段】
【００１１】
本発明の第１主題は、フルート支持器具に関するものであって、（１）左手の人差し指に嵌め込まれて前記人差し指の掌側の根元まで挿入可能な内径を有する貫通状の開口部を備えた、弾性体の人差し指挿入部と、（２）前記人差し指挿入部と一体化されており、前記人差し指挿入部を前記人差し指に装着した際に掌側となる前記人差し指挿入部の所定部分から前記人差し指の指先側に向けて盛り上がりつつ外側に向けて庇状に突出及び拡大している弾性体の台座部とを備えたことを特徴とする。
【００１２】
上記（１）の弾性体の人差し指挿入部は、外観形状がシリコーンラバーの様なゴム製（樹脂製）のリング（指輪）状の形状を成すリング部であっても良い。この場合には、ゴムの弾力性の高さ及び粘着性の高さにより、ゴムのリング部は、フルートの胴部管との接触により、容易く撓む又は湾曲して、フルートと左手の人差し指とを強固に密着させるとともに、フルートの胴部管が滑ることも無い。
【００１３】
本発明の第２主題は、上記のフルート支持器具を用いたフルートの支持方法に関するものであって、フルート支持器具の前記人差し指挿入部を左手の人差し指に装着し、前記フルート支持器具の前記台座部にフルートの胴部管の所定部分を搭載した上で、前記フルートを三点支持で支持しつつ前記フルートを使用することを特徴とする。
【発明の効果】
【００１４】
本発明の主題によれば、フルート奏者が、当該フルートの胴部管の所定部分を、弾性体の台座部の庇状部分及び盛り上がり部分に搭載した場合に、当該フルートの胴部管の重量に起因した下方に印加される重力及び台座部の弾性によって、当該フルートの胴部管の所定部分と、台座部とは、互いに滑り落ちることなく面接触して密着される。その場合に、人差し指挿入部は、人差し指の掌側の根元まで挿入された状態にあるため、当該人差し指挿入部、従って、それと一体化された台座部は、現在のポジションよりも下にずれることが出来ないので、不動状態にある。その結果、台座部の庇状部分から、反発作用として、当該フルートの胴部管の所定部分の外形に沿って、斜め上方向に当該フルートの胴部管を持ち上げる力が生じ、この持ち上げようとする力が、フルートの胴部管がその内側に偏って配設されたキィ等の重みにより奏者の胸側に向けて回ろうとする力を相殺することになる。そのため、フルートの演奏中の支持状態は、胴部管の回転に起因した不安定状態が発生しない状態となる。しかも、左手の人差し指の力の方向（斜め上）が唇の方向を向くので、唇の圧力と拮抗して、フルートが安定する。
【００１５】
しかも、演奏者は、演奏毎に、その左手の人差し指を、固定形状の弾性体の軟らかい人差し指挿入部の開口部に単に挿入すれば良いだけなので、長時間に亘ってフルートを演奏していても、違和感及び痛みを全く感じることが無い。
【００１６】
この様に、本発明の主題によれば、フルートの演奏時に、奏者は、違和感及び痛みを感じること無く、当該フルート支持器具の装着を忘れさせた感覚に於いて、常に安定してフルートを支持することが出来、その他の演奏方法等に対して神経を集中させることが出来る。
【００１７】
以下、本発明の様々な具体化を、添付図面を基に、その効果・利点と共に、詳述する。
【図面の簡単な説明】
【００１８】
【図１】本発明の実施の形態１に係るフルート支持器具の構成を模式的に示す斜視図である。
【図２】本発明の実施の形態１に係るフルート支持器具の構成を模式的に示す正面図である。
【図３】本発明の実施の形態１に係るフルート支持器具を背後斜め下方から眺めた状態として、その構成を模式的に示す背後図である。
【図４】本発明の実施の形態１に係るフルート支持器具の構成を模式的に示す右側面図である。
【図５】本発明の実施の形態１に係るフルート支持器具の構成を模式的に示す左側面図である。
【図６】庇部を下側に配置した場合の本発明の実施の形態１に係るフルート支持器具の構成を模式的に示す上面図である。
【図７】庇部を上側に配置した場合の本発明の実施の形態１に係るフルート支持器具の構成を模式的に示す上面図である。
【図８】本発明の実施の形態１に係るフルート支持器具を左手の人差し指の根元に装着した場合の状態を模式的に示す拡大使用図である。
【図９】図８の状態に基づいてフルートを支持した状態を模式的に示す拡大使用図である。
【図１０】図８の状態に基づいてフルートを支持した状態を模式的に示す拡大使用図である。
【発明を実施するための形態】
【００１９】
（実施の形態１）
＜フルート支持器具１０の構成＞
【００２０】
図１は、本実施の形態に係るフルート支持器具１０の構成を模式的に示す斜視図である。そして、図１中の矢印ＡＲからフルート支持器具１０を眺めた正面図が、図２に該当する。又、図３は、図１の斜視図との関係では背後側の斜め下側からフルート支持器具１０を眺めた背面図である。更に、図１の斜視図との関係に於いて、図４及び図５は、右側面図及び左側面図に相当する。更に、図６及び図７は、後述する台座部２の庇部２ＵＳＰを下側及び上側に配置した際の上面図を示す。以下、図１乃至図７の各図に基づいて、フルート支持器具１０の構成を詳細に記載する。
【００２１】
図１に例示する様に、フルート支持器具１０は、大要、（１）シリコーンゴム（シリコーンラバーとも言う。）の様な密着性及び粘着性が高くて滑りにくい樹脂材料であるゴム（弾性体の一例である。）より全体的に成るリング部１と、（２）リング部１と同一材料から全体的に成り且つリング部１と一体成形化された構成を有する台座部２とを、備える。
【００２２】
リング部１の外形は、円環状のリングを成しており、リング部１は貫通状態の開口部１Ｒを備える。そして、被貫通開口部１Ｒは、演奏者の左手の人差し指に嵌め込まれて当該人差し指の掌側の根元まで挿入可能な内径を有する。
【００２３】
他方、台座部２は、リング部１の開口部１Ｒ内に演奏者の左手の人差し指をその根元まで挿入して本支持器具１０を左手の人差し指に装着した際に、当該左手の掌側となるリング部１の所定部分、本例では正面部分から、人差し指の指先側に向けて盛り上がりつつ、当該掌の外側に向けて庇状に突出及び拡大している。
【００２４】
即ち、台座部２は、三点支持状態に於いてフルートの胴部管の該当部分（一部分）と面接触する上側表面（裏面に対向する表面。）２ＵＳを有している。そして、台座部２は、（Ａ）リング部１の正面部分に該当する部分から上方へ向けて盛り上がった形状を成す、盛り上がり部分２ＵＳＵを有している。この盛り上がり部分２ＵＳＵは、凹凸上に波打った形状の端部２ＵＳＷを有しており、この端部２ＵＳＷの形状により、演奏者の左手の人差し指の内で凹状部分に対面する部分は、台座部２により被覆されることなく露出した状態となっている。この露出により、演奏者は、本支持器具１０を用いてフルートを三点支持した状態にて演奏を行っても、本支持器具１０を使用しているという感覚又は違和感を覚えることが無くなる。更に、台座部２は、（Ｂ）盛り上がり部分２ＵＳＵと完全に一体化した状態に於いて、演奏者の左手の掌より外側（身体の胸）方向に向けて庇状に突出及び拡大している庇部２ＵＳＰを有している。フルートを三点支持して演奏している際には、この庇部２ＵＳＰはリング部１が下方に動けない状態にあるために不動状態にあるので、当該フルートの胴部管より、その重力を直裁的に受ける部分である。その結果、不動状態にある庇部２ＵＳＰは、その重力を受けて若干撓みつつも当該重力に対する反作用として、当該フルートの胴部管の面接触部分に対して、左回り乃至は反時計方向回りの力を加えることになる。
【００２５】
更に、本支持器具１０に於いては、図４及び図５に例示される様に、台座部２の上側表面２ＵＳは、フルートの胴部管の外径よりも小さな曲率半径（大きな曲率）を有する湾曲面２Ｗを有する。この様な内側に湾曲した曲面２Ｗを有することにより、台座部２の上側表面２ＵＳは、フルートの胴部管の対応部分が当該上側表面２ＵＳ上に載置された状態の下でフルートの演奏が行われる際には、当該胴部管の対応部分と全面的に密着した状態が作出される。その状態では、最早、フルートの胴部管の対応部分は、滑り落ちない。
【００２６】
＜フルート支持器具１０の製造方法＞
図１乃至図７に示された形状に対応した形状を有する金型を作成し、その上で、シリコーンゴム（シリコーンラバー）の樹脂を流し込んで射出成形することで、弾性体のフルート支持器具１０は容易に作成される。その際に色々な着色剤を混合させることで、多種の色のフルート支持器具１０を作成することが出来る。
【００２７】
この様に、本実施の形態に係るフルート支持器具１０を作成することは容易であるから、従来の先行技術に係るフルート支持器具と比較して、低コストのフルート支持器具１０を実現することが出来る。
【００２８】
＜フルート支持器具１０を用いた演奏時のフルートの支持方法＞
【００２９】
（１）  先ず、フルート支持器具１０の装着状態を示す図８に例示する様に、フルート演奏者は、フルート支持器具１０のリング部１（人差し指挿入部）を、左手の人差し指ＦＦの根元の位置までに嵌め込んで装着する。この装着状態に於いては、本支持器具１０のリング部１は、人差し指ＦＦの根元で詰まった状態となって、最早、更に下方へ動けなくなる。従って、本支持器具１０の台座部２もまた、上下方向・左右方向に対して不動状態となる。
【００３０】
この様に、演奏者は、演奏に際して、単に、左手の人差し指ＦＦの根元の位置まで、リング部１を嵌め込むだけの動作を行うだけである。斯かる動作は、極めて単純且つ容易である。その動作は、演奏する度に、常に同じ動作である。フルート支持器具１０は全体的にゴム製であって軟らかく、演奏毎に、そのリング部１の嵌め込み形状が変化するものではない。従って、長時間の演奏を行う場合においても、演奏者は、フルート支持器具１０を装着している違和感を覚えないし、或いは、当該支持器具１０を装着している感覚自体も覚えはしないし、且つ、左手の人差し指ＦＦに対する痛みを感じることは全くない。
【００３１】
（２）  その後、演奏者は、フルート支持器具１０の台座部２の上側表面２ＵＳ上に全体的に渡ってフルートＦＬの胴部管ＦＬＰの所定部分を搭載した上で、当該フルートＦＬを三点支持法で以って支持する。そのフルートの支持状態を例示する図面が、図９及び図１０である。これらの図面の内で、図９は、フルートＦＬを支持した状態に於いて、当該フルートＦＬの左下側の斜め方向から当該フルートＦＬを眺めた際の図であって、親指用のキィを除いてその他のキィや接続部分等の部品は図面化に際して省略されている。図１０は、フルート支持器具１０を使用してフルートＦＬを支持した状態に於いて、演奏者側から当該フルートＦＬを眺めた際の模式的な図である。図１０に於いても、殆どの部品の図示化は便宜上省略されているし、親指の図示化も省略されている。
【００３２】
図９に例示する様に、フルートＦＬの胴部管ＦＬＰを台座部２上に搭載して密着させた場合には、台座部２に対して鉛直方向に重力Ｆ１が加わって、当該重力Ｆ１は、台座部２を下げようとする。しかし、台座部２は、既述の通り、現在位置よりも下方へ動けない不動状態にあるため、重力Ｆ１の印加に対して反発作用を呈することとなり、台座部２より、胴部管ＦＬＰの外形に沿って、胴部管ＦＬＰを持ち上げようとする左回りの力Ｆ２が胴部管ＦＬＰに対して作用する。果たして、フルートＦＬの支持状態に於いては、フルートＦＬの胴部管ＦＬＰは、キィ等の配設位置の偏在に起因して、常に右回りの力乃至は演奏者の身体側へ向けての力Ｆ３が加わっている。この回転力Ｆ３を三点支持法で以って演奏者が適切に吸収することが出来ない場合には、フルートＦＬは内側に傾く結果、フルートＦＬの頭部管にあるマウスピースのマウスホールは内側に傾くことになる。その結果、個々の演奏者にとって適切な唇がマウスホールを塞ぐ割合（通常は、１／３程度の塞ぎが良いとされている。）は、保たれなくなり、フルートから美しい音が出なくなって、掠れた音しか発音されなくなる。場合によって、演奏者の唇の「アンブシュア乃至はアンブシェア」が崩れることも、生じかねない。しかし、図９に例示する通り、本支持器具１０を使用して演奏する場合に於いては、上記の反作用の力Ｆ２が、内側に傾こうとする回転力Ｆ３を打ち消す様に作用して、両力Ｆ２，Ｆ３はほぼ相殺される。その結果、本支持器具１０を使用して支持・演奏する演奏者は、演奏中、当該演奏者にとって最適な演奏開始当初の唇の塞ぎの割合及びアンブシュアを保持し続けることが出来、力Ｆ３による影響を受けることなく、美しい音を奏することが可能なマウスホールに対する唇の塞ぎ割合及びアンブシェアを容易に保持し続けることが出来る。即ち、演奏者は、本支持器具１０の使用によって、フルートＦＬを容易に安定化させて、その安定状態を保持して使用・演奏し続けることが出来るのである。その意味で、本支持器具１０は、画期的な作用・効果（唇のマウスホールに対する塞ぎ割合及びアンブシュアの維持の安定化）をもたらす「リング」なのである。
【００３３】
しかも、図９に例示する様に、本支持器具１０が介在することで、必然的に、左手の人差し指ＦＦの内側部（第２関節と第３関節との間部分）ＦＦＡが、本支持器具１０が無い場合と比較して、より立った状態となるので、フルートＦＬの支持状態に於ける左手の人差し指ＦＦの扱い方乃至は人差し指ＦＦの形が、疲れが無く且つ違和感の無い容易な形態となる。
【００３４】
又、既述した凹部が台座部２の盛り上がり部２ＵＳＵの端部２ＵＳＷに設けられているので、人差し指ＦＦの一部が台座部２から露出しており、その結果、本支持器具１０の使用を意識しない状態が作り出されている。その人差し指ＦＦの露出部がフルートＦＬの胴部管ＦＬＰの表面に触れても、演奏者は違和感を覚えない。
【００３５】
（変形例）
本発明の実施の形態１では、リング部１がフルート支持器具１０の「人差し指挿入部」の一例として採用されていたが、「人差し指挿入部」の構成は、これに限定されるものではない。重要な点は、「人差し指挿入部」が「左手の人差し指に嵌め込まれて人差し指の掌側の根元まで挿入可能な内径を有する被貫通の開口部」を備えている点にある。従って、「人差し指挿入部」の外形が多角形状のものであっても良い。その場合に、開口部の内径が上記の要件に該当する内径に該当していれば良い。
【００３６】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００３７】
この発明に係るフルート支持器具は、フルートの演奏時に、左手の人差し指に装着される場合に好適なものである。
【符号の説明】
【００３８】
１０        フルート支持器具
１          リング部
１Ｒ        貫通状開口部
２          台座部
２ＵＳ      台座部の上側表面
２ＵＳＰ    台座部の庇部
２ＵＳＵ    台座部の盛り上がり部
２ＵＳＵＷ  台座部の盛り上がり部の凹凸状端部
２Ｗ        湾曲面
ＦＦ        左手の人差し指
ＦＬ        フルート
ＦＬＰ      胴部管
【図１】
2014095804.tif 000003
【図２】
2014095804.tif 000004
【図３】
2014095804.tif 000005
【図４】
2014095804.tif 000006
【図５】
2014095804.tif 000007
【図６】
2014095804.tif 000008
【図７】
2014095804.tif 000009
【図８】
2014095804.tif 000010
【図９】
2014095804.tif 000011
【図１０】
2014095804.tif 000012